(57)【特許請求の範囲】
【請求項１】
サイト管理者がインターネット上に遊技者用の会員登録サイトを公開すると共に会員登録サイトにアクセスした遊技者の会員データを管理するためのサイト管理装置と、
前記サイト管理装置とインターネットを通じて接続可能な遊技者のパソコンまたは携帯端末と、
前記会員登録サイトにアクセスする情報が印刷されているか、または当該情報を持つ宣伝広告媒体を展示し若しくは付した状態で、顧客に配布され、有価価値を特定可能なカード番号を記憶するカードと、
前記サイト管理装置と専用線で接続され、カード発行会社が前記カードのカード情報をカード情報管理部に記憶することにより管理するためのカード情報管理装置と、
前記カード情報管理装置と専用線で接続され、前記カードが記憶するカード情報を読み取るカード読取端末と、
を備える情報管理システムであって、
前記カード読取端末は、前記カードが記憶する前記カード番号により特定する有価価値としての使用を予め使用制限する制限手段と、前記制限手段による当該カードの使用制限を解除する解除手段と、を備え、
前記カード情報管理装置は、カード発行時に前記カードの登録受付があったときは、カードを識別するためのカード情報を登録し、
前記カード読取端末は、カード発行時に前記カードの登録受付があったときは、カードを識別するためのカード情報を使用制限データに登録してから、前記制限手段によりカード情報に対して使用制限をかけ、
前記サイト管理装置は、遊技者のパソコン又は携帯端末により会員を登録するためのカード情報の入力があったときは、入力されたカード情報を会員データに追加してから、カード情報を前記カード情報管理装置に送信し、
前記カード情報管理装置は、前記サイト管理装置からカード情報を受信したときは、受信したカード情報を登録すると共に、該当するカード情報を示す解除要求信号を前記カード読取端末に送信し、
前記カード読取端末は、前記カード情報管理装置から解除要求信号を受信したときは、前記解除手段により該当する使用制限データに登録されているカード情報の使用制限を解除し、
前記カード情報管理装置は、前記カード読取端末がカード情報の使用制限を解除した場合は、該当する解除履歴データに未払いであることを記憶し、前記カード発行会社が前記サイト管理者に対して請求したカードの使用可能額相当の請求額が支払われたときは、解除履歴データに支払済みであることを記憶することを特徴とする情報管理システム。
【請求項２】
前記サイト管理装置は、会員登録を受付けた場合に、少なくとも氏名および住所を含む会員情報を登録することを特徴とする請求項１記載の情報管理システム。
【請求項３】
前記カード読取端末は、前記カードを読込んだ場合は、遊技者により入力された前記カード情報を前記使用制限データに基づいて読込んだカードの使用可否を判断し、使用可能な場合は有価証券としての価値を精算し、カードが使用不可の場合は使用不可能な表示を行うことを特徴とする請求項１または２記載の情報管理システム。
【発明の詳細な説明】
【技術分野】
【０００１】
本発明は、有価価値を特定可能な情報を記憶するカードを使用した情報管理システムに関する。
【背景技術】
【０００２】
従来の会員獲得手段としては、通常有料である入会金を一定期間無料としたり、会員登録を条件にプレゼントを配布したり、或いはネットワーク上で運営する懸賞サイトへの応募者を会員として登録したりする方法が知られている（特許文献１参照）。
【特許文献１】特開２００１−３１９０１０号公報
【発明の開示】
【発明が解決しようとする課題】
【０００３】
しかしながら、個人情報の開示に躊躇する者が多い現状、これらの宣伝を知っても会員登録の煩わしさやシステムの複雑さゆえ会員登録をさせるには十分ではなかった。
本発明は上記事情に鑑みてなされたもので、その目的は、手間が無く理解しやすいシステムにより顧客の興味を確実に惹きつけて会員登録を促進することができる情報管理システムを提供することにある。
【課題を解決するための手段】
【０００４】
本発明は、インターネット上の登録サイトにアクセスする情報が印刷されているか、または当該情報を持つ宣伝広告媒体を展示し若しくは付した状態で、顧客に配布され、有価価値を特定可能な情報を記憶するカードと、前記カードが記憶する情報により特定する有価価値としての使用を予め使用制限する制限手段と、前記登録サイトにアクセスされて所定の会員登録が行われた場合は、前記制限手段による使用制限を解除する解除手段とを備えたものである（請求項１）。
【０００５】
上記構成において、カード情報の登録可能な期間は、会員情報の登録時に制限されているようにしてもよい（請求項２）。
また、前記解除手段は、前記登録サイトにアクセスされてメールアドレスを含む会員情報の登録が行われた場合は、前記メールアドレスにカード情報登録サイトを示すメールを送信し、前記カード情報登録サイトにアクセスされてカード情報が入力されたことを条件として前記制限手段による使用制限を解除するようにしてもよい（請求項３）。
また、カード情報の登録可能な期間は、会員情報の登録後の所定期間内に制限されていてもよい（請求項４）。
【発明の効果】
【０００６】
請求項１の発明によれば、カード自体が金品に相当する品物であるため、カードを受け取った時点では、使用不可能であるにもかかわらず顧客に対して使用しなければ損をすると認識させることができる。これにより、顧客の興味を確実にひきつけ、会員登録する顧客を増やすことができる。
【０００７】
また、新規オープンやリニューアルオープンなどのイベント時にカードを配布する場合には、イベントへ参加させる動機付けともなり、相乗効果を発揮することができる。既に会員登録している者にカードを配布した場合でも、未登録者の友人などに紹介するなどの効果が期待できる。
【０００８】
また、会員情報の登録時にカード情報が入力されるので、カードを有価証券として迅速に使用可能とすることができる。
【発明を実施するための最良の形態】
【００１０】
以下、本発明の一実施例について図面を参照して説明する。
図１は、情報管理システムの構成を概略的に示している。カード発行会社は、カードを発行した場合は、カードをカード情報管理装置１に登録することにより発行したカードのカード情報を管理する。カード情報管理装置１は、登録受付したカード情報をカード情報管理部２に記憶することにより管理する。カード情報管理装置１は複数のカード読取端末（制限手段、解除手段に相当）３と専用線で接続されている。
カード読取端末３は、全国のコンビニエンスストア、ファミリーレストラン、ドラッグストア、書店等に設置されており、カードの使用可否を示す使用制限データを記憶している。
【００１１】
サイト管理者は、インターネット８上に遊技者用の会員登録サイトを公開すると共に会員登録サイトにアクセスした遊技者の会員データを管理するためのサイト管理装置４を設置している。サイト管理装置４は、登録された会員データを会員情報管理部５に記憶することにより管理する。
カード発行会社のカード情報管理装置１とサイト管理者のサイト管理装置４とは専用線で接続されている。サイト管理装置４は、遊技者のＰＣ（パソコン）６、或いは携帯端末としての携帯電話機７とインターネット８と通じて接続可能となっている。
【００１２】
サイト管理者は、経営する遊技場における遊技者の会員登録を促進する場合は、カード発行会社に会員登録用のカードの発行を依頼する。
カード発行会社は、カードを発行する場合は、カード情報管理装置１及びカード読取端末３にカード情報（例えばカードの発行番号）を登録する。
【００１３】
図８は、カード情報管理装置１の動作を示すフローチャートである。カード情報管理装置１は、カードの登録受付があったか（Ａ１）、カード情報を受信したか（Ａ３）を判断している。カードの登録受付があったときは（Ａ１：ＹＥＳ）、カード情報を解除履歴データに登録する（Ａ２）。
【００１４】
図４は、カード情報管理装置１の解除履歴データの一例を示している。解除履歴データは、「カード番号」に対応して、「カードＩＤ」、「パスワード」、「解除要求」、「解除日」、「請求額」、「支払状況」の各項目が設定されている。カードの登録受付時にはカード情報として「カード番号」が登録されると共に、「解除要求」に「未」が記憶される。
【００１５】
図９は、カード読取端末３の動作を示すフローチャートである。カード読取端末３は、カードの登録を受付けたか（Ｂ１）、解除要求信号を受信したか（Ｂ４）、カードを読込んだか（Ｂ７）を判断している。カードの登録受付があったときは（Ｂ１：ＹＥＳ）、カード情報を使用制限データに登録してから（Ｂ２）、カード情報に対して使用制限をかける（Ｂ３）。
【００１６】
図５は、カード読取端末３の使用制限データの一例を示している。使用制限データは、「カード番号」に対応して、「カードＩＤ」、「パスワード」、「使用可否」の各項目が設定されている。カードの登録受付時にはカード情報として「カード番号」が登録されると共に、「使用可否」に「不可」が記憶される。このように「使用可否」に不可が記憶された状態では、カードの使用が制限されている。
【００１７】
図２は、カード発行会社が発行するカードを示している。カード９にはサイト管理者が運営する会員登録サイトにアクセスするためのＵＲＬ（Uniform Resource Locator）を示す２次元コード（例えばＱＲコード（登録商標））１０が印刷されている。
【００１８】
さて、サイト管理者は、会員の登録を促進する場合は、遊技場へ来店した遊技者に対してカード９を配布する。
カード９を受取った遊技者が会員登録したい場合は、カード９に印刷されている２次元コード１０を携帯電話機７の撮影機能を利用して撮影する。携帯電話機７は、撮影した２次元コード１０を解析して当該２次元コード１０が示すＵＲＬを表示部に表示するので、遊技者は、表示部に表示されたＵＲＬを選択することによりインターネット８を通じて当該ＵＲＬにアクセスする。
【００１９】
図６は、サイト管理装置４が公開する会員登録ＵＲＬにアクセスした場合の会員情報入力画面を示している。会員情報入力画面には、名前入力部１１、住所入力部１２、メールアドレス入力部１３、「会員登録」釦１４が表示されている。
【００２０】
遊技者が各入力部に必要事項を入力して「会員登録」釦１４を選択すると、会員登録完了画面が表示される。このとき、入力された会員登録情報がサイト管理装置４に送信される。
【００２１】
図１０は、サイト管理装置４の動作を示すフローチャートである。サイト管理装置４は、会員登録を受付けたか（Ｃ１）、会員ＩＤ及びカード情報の入力が有るか（Ｃ４）を判断している。上述のようにして会員登録を受付けたときは（Ｃ１：ＹＥＳ）、受付けた会員情報を会員データに登録する（Ｃ２）。
【００２２】
図３は、会員データの一例を示している。会員データとしては、「登録日」に対応して、「会員ＩＤ」、「カードＩＤ」、「パスワード」、「氏名」、「住所」、「e-mail」の各項目が設定されている。上述のように会員登録を受付けた場合は、「氏名」、「住所」、「e-mail」に会員情報入力画面で入力された会員情報を登録することになる。
【００２３】
次に、サイト管理装置４は、登録されたメールアドレス宛にＵＲＬを示す会員登録確認メールを送信する（Ｃ３）。
遊技者の携帯電話機７はサイト管理装置４からのメールを受信し、操作に応じて受信したメールを表示する。
【００２４】
図７は、遊技者の携帯電話機が受信した会員登録確認メールを示している。会員登録確認メールには、会員登録されたことを示すメッセージと、配布されたカードを使用可能とするための情報としてカード情報入力用ＵＲＬ１５が示されている。
【００２５】
遊技者は、会員情報を入力してカードの使用を有効としたい場合は、会員登録確認メールが示すカード情報入力用ＵＲＬ１５を選択する。
携帯電話機７が選択されたカード情報入力用ＵＲＬ１５にアクセスすると、遊技者の携帯電話機７の表示部には、カード情報入力画面が表示される。
【００２６】
カード情報入力画面には、カードＩＤ入力部１６、パスワード入力部１７、「完了」釦１８が表示される。
遊技者は、カードを使用したい場合は、所望のカードＩＤ及びパスワードを入力してから、「完了」釦１８を選択する。
【００２７】
サイト管理装置４は、図１０に示すように会員ＩＤ及びカード情報の入力が有ったときは（Ｃ４：ＹＥＳ）、会員ＩＤに基づいて新規会員（会員登録から１０日以内）か否かの判定を行い（Ｃ５）、新規会員と判定した場合は（Ｃ５：ＹＥＳ）、入力されたカード情報を会員データに追加してから（Ｃ６）、カード情報をカード情報管理装置１に送信する（Ｃ７）。尚、新規会員と判定しなかった場合は（Ｃ５：ＮＯ）、有効期限が切れた旨を表示する（Ｃ８）。
【００２８】
カード情報管理装置１は、図８に示すようにサイト管理装置４からカード情報を受信したときは（Ａ３：ＹＥＳ）、解除要求信号をカード読取端末３に送信してから（Ａ４）、受信したカード情報を会員データに登録する（Ａ５）。この解除要求信号は、該当するカード番号、入力されたカードＩＤ、パスワードを示すものである。
【００２９】
カード読取端末３は、図９に示すようにカード情報管理装置１から解除要求信号を受信したときは（Ｂ４：ＹＥＳ）、該当するカード番号の使用制限を解除し（Ｂ５）、そのことを使用制限データに記録する（Ｂ６）。
【００３０】
図４に示す例では、「カードＩＤ」、「パスワード」を記憶すると共に、「解除要求」に「済」を記憶する。
遊技者は、上述のようにしてカード９の使用制限が解除された場合は、カードは有価証券としての価値を有するので、遊技場に設置されているカード読取端末３に読込ませ、予め登録されている会員ＩＤ及びパスワードを入力する。
【００３１】
カード読取端末３は、カード９を読込んだ場合は（Ｂ７：ＹＥＳ）、図５に示す使用制限データに基づいて読込んだカード９の使用可否を判断し（Ｂ８）、使用可能な場合は（Ｂ８：ＹＥＳ）、５００円分を精算する（Ｂ９）。尚、カード９が使用不可の場合は（Ｂ８：ＮＯ）、使用不可能な表示を行う（Ｂ１０）。
【００３２】
カード発行会社は、図５に示す使用制限データを基に使用制限を解除した場合は、図４に示す解除履歴データの「解除日」に本日の年月日を記憶し、「請求額」として例えば５００円を記憶し、「支払状況」に「未」を記憶する。カードの使用可能額相当（一件につき例えば５００円）をサイト管理者に請求し、支払われた場合は、図４に示す解除履歴データの「支払状況」に「済」を記憶する。
【００３３】
以上のようにして、サイト管理者は、カード９を配ることにより遊技者の会員登録データを収集することができると共に、カード発行会社は、遊技者が会員登録することによりカード代金をサイト管理者から回収することができ、さらに遊技者は、カード９を有価証券として使用することが可能となる。
【００３４】
このような実施例によれば、カード会社は、サイト管理者からの要求に応じて使用制限された有価証券としての価値を有するカード９を発行し、遊技者がカード９に印刷されたサイトにアクセスすることにより会員登録した場合は、所定のカード情報を登録することを条件としてカード９の使用制限を解除することにより遊技者によるカード９の使用を許可するようにしたので、カード９自体が金品に相当する品物となり、カード９を受け取った時点では、使用不可能であるにもかかわらず顧客に対して使用しなければ損をすると認識させることができる。これにより、顧客の興味を確実にひきつけ、会員登録する顧客を増やすことができる。
【００３５】
また、新規オープンやリニューアルオープンなどのイベント時にカード９を配布する場合には、イベントへ参加させる動機付けともなり、相乗効果を発揮することができる。既に会員登録している者にカードを配布した場合でも、未登録者の友人などに紹介するなどの効果が期待できる。
【００３６】
また、会員登録時にメールアドレスを登録し、そのメールアドレスを受信した顧客が所定の会員情報を入力した場合にカードの使用制限を解除するようにしたので、カード情報を入力することなく会員登録を完了してしまった場合に、会員登録をしたにもかかわらず使用制限を解除できないという事態を回避することができる。
【００３７】
さらに、会員情報を登録した場合であっても、会員情報の入力の有効期間を設けるようにしたので、直ぐに会員情報を入力することができない顧客の利便性を図ることができる。
【００３８】
本発明は、上記実施例に限定されることなく、次のように変形または拡張できる。
新規会員登録時に手持ちのカード９のカード番号を入力させ、会員登録完了と同時に該カード９の使用制限を解除することとしても良い。
【００３９】
カード９の印刷するＵＲＬを示す２次元コード１０に代えて、ＵＲＬそのものを印刷しても良い。
カード会社は、遊技者が会員登録した場合にサイト管理者に代金を請求するのに代えて、カード９を発行した際に請求するようにしても良い。
【００４０】
遊技者がカードを使用した際に、使用相当額を請求するようにしても良い。
【図面の簡単な説明】
【００４１】
【図１】本発明の一実施例におけるシステムの全体構成を示すブロック図
【図２】カードの正面図
【図３】会員データの一例を示す図
【図４】解除履歴データの一例を示す図
【図５】使用制限データの一例を示す図
【図６】携帯電話機の会員情報入力画面を示す図
【図７】携帯電話機の会員登録確認メールを示す図
【図８】カード情報管理装置の動作を示すフローチャート
【図９】カード読取端末の動作を示すフローチャート
【図１０】サイト管理装置の動作を示すフローチャート
【符号の説明】
【００４２】
図面中、１はカード情報管理装置、３はカード読取端末（制限手段、解除手段）、４はサイト管理装置、６はＰＣ、７は携帯電話機、８はインターネットである。
【要約】
【課題】手間が無く理解しやすいシステムにより顧客の興味を確実に惹きつけて会員登録を促進することができる情報管理システムを提供する。
【解決手段】カード会社は、サイト管理者からの要求に応じて使用制限した有価証券としての価値を有するカードを発行し、遊技者がカードに印刷されたサイトにアクセスすることにより会員登録した場合は、カードの使用制限を解除することにより遊技者によるカードの使用を許可するようにしたので、カード自体が金品に相当する品物となり、カードを受け取った時点では、使用不可能であるにもかかわらず顧客に対して使用しなければ損をすると認識させることができる。これにより、顧客の興味を確実にひきつけ、会員登録する顧客を増やすことができる。
【選択図】図６【図１】
0004185153.tif 000002
【図２】
0004185153.tif 000003
【図３】
0004185153.tif 000004
【図４】
0004185153.tif 000005
【図５】
0004185153.tif 000006
【図６】
0004185153.tif 000007
【図７】
0004185153.tif 000008
【図８】
0004185153.tif 000009
【図９】
0004185153.tif 000010
【図１０】
0004185153.tif 000011